【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
目標対象物の属性を決定するための方法であって、
探査放射線を生成するステップと、
前記探査放射線の少なくとも一部を、前記目標対象物に適用することによって後方散乱放射線を生成するステップと、
参照放射線を生成するステップと、
前記後方散乱放射線および前記参照放射線を結合することによって干渉信号を生成するステップと、
前記干渉信号を検出器によって検出するステップと、
前記検出された信号から同時情報を引き出すステップと、
前記引き出された同時情報をメモリ内に記憶されたデータバンクからのデータと相関させるステップと、
前記相関により得られたデータを処理することによって前記目標対象物の属性を決定するステップと、を有していることを特徴とする方法。
【請求項２】
前記引き出された同時情報は規格化されていることを特徴とする請求項１に記載の方法。
【請求項３】
前記引き出された同時情報が環境センサ信号に関係付けられたデータによって変化せしめられることを特徴とする請求項１に記載の方法。
【請求項４】
前記目標対象物が生体組織であることを特徴とする請求項１に記載の方法。
【請求項５】
前記目標対象物の属性がブドウ糖濃度であることを特徴とする請求項１に記載の方法。
【請求項６】
前記目標対象物の属性がバイオメトリック特性であることを特徴とする請求項１に記載の方法。
【請求項７】
前記目標対象物の属性がそのイメージであることを特徴とする請求項１に記載の方法。
【請求項８】
前記相関により得られたデータが処理されることによってフィギュア・オブ・メリットが生成されることを特徴とする請求項１に記載の方法。
【請求項９】
前記フィギュア・オブ・メリットがモニタの状態を表示するために使用されることを特徴とする請求項８に記載の方法。
【請求項１０】
前記目標対象物に適用される前記探査放射線の一部が、前記目標対象物に関係付けられた登録マークに位置合わせされることを特徴とする請求項１に記載の方法。
【請求項１１】
前記検出された干渉信号から前記同時情報を引き出すステップが、電子フィルタリングによって実行されることを特徴とする請求項１に記載の方法。
【請求項１２】
前記検出された干渉信号から前記同時情報を引き出すステップが、前記干渉信号を特定の時刻にサンプリングすることによって実行されることを特徴とする請求項１に記載の方法。
【請求項１３】
前記検出器がマルチセグメント検出器からなっていることを特徴とする請求項１に記載の方法。
【請求項１４】
前記干渉信号から前記同時情報を引き出すステップが、前記検出器のセグメント特性を用いることによって実行されることを特徴とする請求項１に記載の方法。
【請求項１５】
前記探査放射線が超発光ダイオードによって生成されることを特徴とする請求項１に記載の方法。
【請求項１６】
前記探査放射線がモードロックレーザによって生成されることを特徴とする請求項１に記載の方法。
【請求項１７】
前記探査放射線が音響放射線からなっていることを特徴とする請求項１に記載の方法。
【請求項１８】
前記探査放射線が光源のアレイによって生成されることを特徴とする請求項１に記載の方法。
【請求項１９】
前記参照放射線が前記生成された探査放射線の一部からなっていることを特徴とする請求項１に記載の方法。
【請求項２０】
前記探査放射線が複合参照放射線からなっていることを特徴とする請求項１に記載の方法。
【請求項２１】
前記複合参照放射線が少なくとも２つの反射素子および少なくとも１つの変調素子によって生成されることを特徴とする請求項２０に記載の方法。
【請求項２２】
目標対象物の属性を決定するための装置であって、
探査放射線を生成するための手段と、
前記探査放射線の少なくとも一部を、前記目標対象物に適用することによって後方散乱放射線を生成する手段と、
参照放射線を生成するための手段と、
前記後方散乱放射線および前記参照放射線を結合することによって干渉信号を生成するための手段と、
前記干渉信号を検出器によって検出する手段と、
前記検出された干渉信号から同時情報を引き出すための手段と、
前記引き出された同時情報をメモリ内に記憶されたデータバンクからのデータと相関させることによって相関データを生成するための手段と、
前記相関データを処理することによって前記目標対象物の属性を決定するための手段と、を有していることを特徴とする装置。
【請求項２３】
前記引き出された同時情報は規格化されていることを特徴とする請求項２２に記載の装置。
【請求項２４】
前記引き出された同時情報が環境センサ信号に関係付けられたデータによって変化せしめられることを特徴とする請求項２２に記載の装置。
【請求項２５】
前記目標対象物が生体組織であることを特徴とする請求項２２に記載の装置。
【請求項２６】
前記目標対象物の属性がブドウ糖濃度であることを特徴とする請求項２２に記載の装置。
【請求項２７】
前記目標対象物の属性がバイオメトリック特性であることを特徴とする請求項２２に記載の装置。
【請求項２８】
前記目標対象物の属性がそのイメージであることを特徴とする請求項２２に記載の装置。
【請求項２９】
前記相関データが処理されてフィギュア・オブ・メリットが生成されることを特徴とする請求項２２に記載の装置。
【請求項３０】
前記フィギュア・オブ・メリットがモニタの状態を表わすために用いられることを特徴とする請求項２９に記載の装置。
【請求項３１】
前記目標対象物に適用される前記探査放射線の一部が、前記目標対象物に関係付けられた登録マークに位置合わせされることを特徴とする請求項２２に記載の装置。
【請求項３２】
前記検出された干渉信号から前記同時情報を引き出すための手段が、電子フィルタリングからなっていることを特徴とする請求項２２に記載の装置。
【請求項３３】
前記検出された干渉信号から前記同時情報を引き出すための手段が、特定の時刻において前記干渉信号をサンプリングする手段からなっていることを特徴とする請求項２２に記載の装置。
【請求項３４】
前記検出器がマルチセグメント検出器からなっていることを特徴とする請求項２２に記載の装置。
【請求項３５】
前記検出された干渉信号から前記同時情報を引き出すための手段が、前記検出器のセグメント特性を有していることを特徴とする請求項２２に記載の装置。
【請求項３６】
前記探査放射線が超発光ダイオードによって生成されることを特徴とする請求項２２に記載の装置。
【請求項３７】
前記探査放射線がモードロックレーザによって生成されることを特徴とする請求項２２に記載の装置。
【請求項３８】
前記探査放射線が音響放射線からなっていることを特徴とする請求項２２に記載の装置。
【請求項３９】
前記探査放射線が光源のアレイによって生成されることを特徴とする請求項２２に記載の装置。
【請求項４０】
前記参照放射線が前記生成された探査放射線の一部であることを特徴とする請求項２２に記載の装置。
【請求項４１】
前記探査放射線が複合参照放射線であることを特徴とする請求項２２に記載の装置。
【請求項４２】
前記複合参照放射線が少なくとも２つの反射素子および少なくとも１つの変調素子によって生成されることを特徴とする請求項４１に記載の装置。
【請求項４３】
目標対象物の属性を決定するためのシステムであって、
探査放射線および参照放射線を生成する光学システムを備え、
前記光学システムは、前記探査放射線の少なくとも一部を前記目標対象物に適用することによって後方散乱放射線を生成し、前記後方散乱放射線を前記参照放射線に結合することによって干渉信号を生成するようになっており、さらに、
前記干渉信号を検出する検出器と、
前記光学システムおよび電子処理システムを制御する制御システムと、
データバンクのデータを格納するメモリと、を備え、
前記電子処理システムは、前記検出器によって検出された干渉信号から同時情報を引き出し、前記同時情報をメモリに格納されたデータと相関させて相関データを生成するようになっており、前記相関データは、さらに前記電子処理システムによって処理され、それによって前記目標対象物の属性が決定されることを特徴とするシステム。
【請求項４４】
環境センサをさらに備えていることを特徴とする請求項４３に記載のシステム。
【手続補正２】
【補正対象書類名】図面
【補正対象項目名】図９
【補正方法】変更
【補正の内容】
【図９】
2008517664.tif 000001